(57)【要約】【課題】ペーパーの引き出し、切断の一連の操作を、片手で、しかもトイレットペーパーホルダーやその付属物等に何ら触れることなく、容易、簡単に、衛生的に行うことができるトイレットペーパーホルダーの提供を課題とする。【解決手段】一対の側壁部１０、１０と、トイレ等の壁面に対して取り付けられる背壁部２０と、側壁部１０間に掛けられたペーパーロールＲの上方に位置するように構成した天壁部３０と、側壁部１０若しくは背壁部２０に回動可能に軸支され、一対の側壁部１０間に掛けられたペーパーロールＲの上面を押さえる押さえ板４０とを備え、天壁部３０の最前部に沿って切断刃５０を配置し、ペーパーロールＲから引き出されたペーパーＰが切断刃５０によって切断されることで、残ったペーパーロールＲ側のペーパーＰの先端Ｐ１がペーパーロールＲから下方、床までの間に垂れるように構成したトイレットペーパーホルダーである。【選択図】      図１
0003234263.tif 000002
【実用新案登録請求の範囲】
【請求項１】
ペーパーロールをその間に回転自在に掛けて保持する一対の側壁部と、トイレ等の壁面に対して取り付けられる背壁部と、前記一対の側壁部間に掛けられたペーパーロールの上方に位置するように構成した天壁部と、前記側壁部若しくは背壁部に回動可能に軸支され、前記一対の側壁部間に掛けられたペーパーロールの上面に当接して該ペーパーロールのペーパーを押さえる押さえ板とを備え、前記ペーパーロールの上方に位置するように構成した天壁部に対して、その天壁部の最前部に沿って前記ペーパーロールから引き出されたペーパーを切断するための切断刃を配置するように構成し、ペーパーロールから引き出されたペーパーが前記天壁部に配置された切断刃によって切断されることで、残ったペーパーロール側のペーパーの先端がペーパーロールから下方、床までの間に垂れるように構成したことを特徴とするトイレットペーパーホルダー。
【請求項２】
押さえ板の先端部においてペーパーロールから引き出されたペーパーを折り返して天壁部へ導き、天壁部の切断刃でペーパーを切断するように構成したことを特徴とする請求項１に記載のトイレットペーパーホルダー。
【請求項３】
天壁部の最前部に配置される切断刃の位置は、水平方向において、ペーパーロールの上面に当接した状態にある押さえ板の先端部と同じか少し前方位置となるように構成したことを特徴とする請求項１又は２に記載のトイレットペーパーホルダー。
【請求項４】
押さえ板の先端部から切断刃までの距離がペーパーロールの１／４円周から１／２円周の範囲となるように構成したことを特徴とする請求項１〜３の何れかに記載のトイレットペーパーホルダー。
【請求項５】
押さえ板は、ペーパーロールがセットされた状態において、押さえ方向と反対方向には後退し難くなるように構成してあることを特徴とする請求項１〜４の何れかに記載のトイレットペーパーホルダー。
【請求項６】
押さえ板は、その重量を重くすることで、押さえ方向と反対方向には後退し難くなるように構成してあることを特徴とする請求項５に記載のトイレットペーパーホルダー。
【請求項７】
天壁部は水平に構成して、上面を荷置きスペースとしてあることを特徴とする請求項１〜６の何れかに記載のトイレットペーパーホルダー。
【考案の詳細な説明】
【技術分野】
【０００１】
本考案は、トイレ等においてロール状のトイレットペーパーを取り付けて使用に供するためのトイレットペーパーホルダーに関する。
【背景技術】
【０００２】
トイレに設備されるトイレットペーパーは、一般的にはロール状とされ、トイレットペーパーホルダーにセットされる。そして使用に際しては、セットされたロールからペーパーを繰り出し、繰り出したペーパーをトイレットペーパーホルダーのカット部でカットして使用に供するのが一般的である。
しかし、このようなトイレットペーパーホルダーを用いる場合において、ロールからペーパーを繰り出す際に、ペーパーがロールに密着した状態となり、スムーズにペーパーを引き出すことができないという問題があった。
またペーパーがロールに密着して引き出し難くなっている場合には、使用者がトイレットペーパーホルダーの一部やトイレットペーパーそのものに彼是と手を触れたり、押さえたりして、ペーパーを引き出さなければならなくなるので、衛生上の問題があった。
その他、使用者が片手だけで簡単にペーパーの繰り出しや切断ができない場合には、手が塞がるので不便であるという問題もあった。
【先行技術文献】
【特許文献】
【０００３】
【特許文献１】特開２０１７−５１５８１号公報
【特許文献２】特開２００３−２４２４１号公報
【特許文献３】特開２００２―８５２８８号公報
【考案の概要】
【考案が解決しようとする課題】
【０００４】
上記特許文献１はトイレットペーパーホルダーに関し、トイレットペーパーＰをホルダー本体３の後壁３Ｃを越えて前方のカッター１１のところまで引き出し、カットするように構成したものが開示されている。手の指を空間Ｓ１に入れることで、トイレットペーパーホルダーに触れることなく片手で簡単にトイレットペーパーＰを引き出すことができる。
しかし、この特許文献１のトイレットペーパーホルダーは、トイレットペーパーＰをロールの背後からホルダー本体３の後壁３Ｃを超えて上方に引き出す必要があり、セッティングが簡単ではない。
また上記特許文献２はトイレットペーパー用ホルダに関し、ペーパーカバー板１２とペーパーカッター板１３とを備え、ペーパーカバー板１２にはペーパー押さえ部材１７と、その先端にペーパー戻し片１８とを設け、ペーパーカッター板１３には、その先端にペーパーカッター１９を設けた構成が開示されている。ロールから引き出されたペーパーは、ペーパー押さえ部材１７の下を通り、ペーパー戻し片１８に抗して上に引き出され、ペーパーカッター１９で切断される。そして切断されて残ったトイレットペーパーの先端がペーパー戻し片１８によって下向きに戻され、ペーパー戻し片１８より少し引き出された状態になるので、次に使用するものは、そこをつまんでペーパーを引き出すことができる。
しかし、この特許文献２のトイレットペーパー用ホルダでは、その構造上からも明らかなように、ペーパー戻し片１８とペーパーカッター１９との間の距離が狭く、切断されて残ったトイレットペーパーは、その先端がペーパー戻し片１８から少ししか引き出された状態とはならない。このため、その引き出されたわずかな部分はロールから垂れ下がることなく、ロール表面に付着乃至密着し、片手で簡単にはトイレットペーパーの引き出しができなくなる問題が残る。
また上記特許文献３はトイレットペーパーホルダに関し、カバー１０の先端１３よりも手前の上面に突起状のカバー中間先端１２を設けた構成が開示されている。引き出されたペーパーはカバー先端１３で上方に折り返され、カバー中間先端１２でカットされる。残ったトイレットペーパーの先端がカバー先端１３から垂れ下がるので、そこをつまんで次の使用に供することができる。
しかし、この特許文献３のトイレットペーパーホルダでは、カバー１０の先端１３よりも手前の上面に突起状のカバー中間先端１２を分岐させた構造となっているため、カバー１０の構造に起因して、このようなカバー中間先端１２付きのカバー１０の製作が容易ではなく、またカバー中間先端１２が簡単に破損してしまう問題がある。
【０００５】
そこで本考案は上記従来技術の問題を解消し、ロールからペーパーを引き出して切断した際に、残るロール側のペーパーの先端がロールから下方に確実に少し垂れ下がった状態にすることができ、しかもロールからのペーパーの引き出し、切断の一連の操作を、片手で、しかもトイレットペーパーホルダーやその付属物等に何ら触れることなく、ごく容易、簡単に、衛生的に行うことができるトイレットペーパーホルダーの提供を課題とする。
【課題を解決するための手段】
【０００６】
本考案のトイレットペーパーホルダーは、ペーパーロールをその間に回転自在に掛けて保持する一対の側壁部と、トイレ等の壁面に対して取り付けられる背壁部と、前記一対の側壁部間に掛けられたペーパーロールの上方に位置するように構成した天壁部と、前記側壁部若しくは背壁部に回動可能に軸支され、前記一対の側壁部間に掛けられたペーパーロールの上面に当接して該ペーパーロールのペーパーを押さえる押さえ板とを備え、前記ペーパーロールの上方に位置するように構成した天壁部に対して、その天壁部の最前部に沿って前記ペーパーロールから引き出されたペーパーを切断するための切断刃を配置するように構成し、ペーパーロールから引き出されたペーパーが前記天壁部に配置された切断刃によって切断されることで、残ったペーパーロール側のペーパーの先端がペーパーロールから下方、床までの間に垂れるように構成したことを第１の特徴としている。
また本考案のトイレットペーパーホルダーは、上記第１の特徴に加えて、押さえ板の先端部においてペーパーロールから引き出されたペーパーを折り返して天壁部へ導き、天壁部の切断刃でペーパーを切断するように構成したことを第２の特徴としている。
また本考案のトイレットペーパーホルダーは、上記第１又は第２の特徴に加えて、天壁部の最前部に配置される切断刃の位置は、水平方向において、ペーパーロールの上面に当接した状態にある押さえ板の先端部と同じか少し前方位置となるように構成したことを第３の特徴としている。
また本考案のトイレットペーパーホルダーは、上記第１〜第３の何れかの特徴に加えて、押さえ板の先端部から切断刃までの距離がペーパーロールの１／４円周から１／２円周の範囲となるように構成したことを第４の特徴としている。
また本考案のトイレットペーパーホルダーは、上記第１〜第４の何れかの特徴に加えて、押さえ板は、ペーパーロールがセットされた状態において、押さえ方向と反対方向には後退し難くなるように構成してあることを第５の特徴としている。
また本考案のトイレットペーパーホルダーは、上記第５の特徴に加えて、押さえ板は、その重量を重くすることで、押さえ方向と反対方向には後退し難くなるように構成してあることを第６の特徴としている。
また本考案のトイレットペーパーホルダーは、上記第１〜第６の何れかの特徴に加えて、天壁部は水平に構成して、上面を荷置きスペースとしてあることを第７の特徴としている。
【考案の効果】
【０００７】
請求項１に記載のトイレットペーパーホルダーによれば、該トイレットペーパーホルダーはその背壁部でトイレ等の壁面に取り付けられる。そして一対の側壁部間にペーパーロールが回転自在に掛けられて、該ペーパーロールのセットがなされる。ペーパーロールがセットされた状態で、押さえ板がペーパーロールの上面に当接してペーパーを押さえる。ペーパーロールの上方に位置するように構成した天壁部には、その最前部に沿って切断刃が配置されており、ペーパーロールから引き出されたペーパーは上方の切断刃まで導かれて切断に供される。
この際、本考案では切断で残ったペーパーロール側のペーパーの先端がペーパーロールから下方、床までの間に垂れるように構成しているので、前記切断刃で切断されたペーパーロール側のペーパーは、切断されると切断刃から下方に落下し、その先端がペーパーロールから床との間に垂れる。よって前の使用が終了した時点で、次の使用の準備が整った状態とすることができる。
従って次に使用する者は、そのペーパーロールから下方に垂れたペーパーを掴み、引き出して次の使用に供することができる。
しかもロールからのペーパーの把持、引き出し、切断までの一連の全ての操作を、トイレットペーパーホルダーやその付属物等、トイレットペーパー以外のものに何ら手を触れることなく衛生的に、片手で、容易、簡単に行うことができる。
【０００８】
請求項２に記載のトイレットペーパーホルダーによれば、上記請求項１に記載の構成による作用効果に加えて、ペーパーロールから引き出されたペーパーは、押さえ板の先端部において折り返されて天壁部へ導かれ、天壁部の切断刃で切断される。即ち、使用者はペーパーロールから垂れ下がったペーパーの部分を掴み、これを上方に引き上げるだけで、ペーパーをペーパーロールから引き出し、且つ上方の天井部にある切断刃でカットすることができる。そしてこの際、押さえ板によりペーパーをペーパーロール上面に押さえつけているので、必要以上のペーパーの引き出しを防止することができる。また上方での切断刃による切断に際しても、ペーパーは押さえ板でペーパーロール上面に押さえつけられているので、ペーパーの切断を確実に行うことができる。
【０００９】
請求項３に記載のトイレットペーパーホルダーによれば、上記請求項１又は２に記載の構成による作用効果に加えて、天壁部の最前部に配置される切断刃の位置は、水平方向において、ペーパーロールの上面に当接した状態にある押さえ板の先端部と同じか少し前方位置となるように構成したので、押さえ板の先端部で上方へ折り返されるペーパーの折り返し角度を、直角方向かそれより少し低い角度とすることができる。この直角に近い角度はペーパーのそれ以上の引き出しを防止するのに十分大きな角度であり、必要以上のペーパーの引き出しを防止することができる。一方、角度が直角を超えるほど大きくならないので、押さえ板の先端部から上方の切断刃に向かうペーパーの角度が大きくなり過ぎることなく、比較的スムーズな切断作業を確保することができる。直角を超えるような場合は、押さえ板の先端部から切断刃に向かうペーパーの向きが後ろ向きとなるので、切断刃による切断がし難くなる。
【００１０】
請求項４に記載のトイレットペーパーホルダーによれば、上記請求項１〜３の何れかに記載の構成による作用効果に加えて、押さえ板の先端部から切断刃までの距離がペーパーロールの１／４円周から１／２円周の範囲となるように構成したことにより、切断後における押さえ板の先端部からペーパーの先端までのペーパーの長さを、ＪＩＳ規格された標準のペーパーロールに対して、ペーパーロールから垂れるが、床までは達しない長さに具体的にすることが可能となる。
【００１１】
請求項５に記載のトイレットペーパーホルダーによれば、上記請求項１〜４の何れかに記載の構成による作用効果に加えて、押さえ板は、ペーパーロールがセットされた状態において、押さえ方向と反対方向には後退し難くなるように構成してあるので、ペーパーロールから引き出され、切断されるペーパーを効果的に押さえることができ、所定の長さでの確実な切断を行うことができる。
【００１２】
請求項６に記載のトイレットペーパーホルダーによれば、上記請求項５に記載の構成による作用効果に加えて、押さえ板は、その重量を重くすることで、押さえ方向と反対方向には後退し難くなるように構成してあるので、押さえ板を簡単な構成として、ペーパーロールから引き出され、切断されるペーパーの押し付けを効果的に行うことができる。
【００１３】
請求項７に記載のトイレットペーパーホルダーによれば、上記請求項１〜６の何れかに記載の構成による作用効果に加えて、天壁部は水平に構成して、上面を荷置きスペースとしてあるので、切断刃を配置する天壁部を利用して物を置くことができるので便利である。
【図面の簡単な説明】
【００１４】
【図１】本考案の実施形態に係るトイレットペーパーホルダーの全体斜視図である。
【図２】本考案の実施形態に係るトイレットペーパーホルダーの側面図である。
【図３】本考案の実施形態に係るトイレットペーパーホルダーの操作を説明する側面図である。
【図４】本考案の実施形態に係るトイレットペーパーホルダーの操作を説明する側面図である。
【考案を実施するための形態】
【００１５】
以下の図面を参照して、本考案の実施形態に係るトイレットペーパーホルダーを説明し、本考案の理解に供する。しかし、以下の説明は実用新案登録請求の範囲に記載の本考案を限定するものではない。
【００１６】
図１〜図４を参照して、本実施形態に係るトイレットペーパーホルダーは、一対の側壁部１０、１０と、背壁部２０と、天壁部３０と、ペーパーＰの押さえ板４０を少なくとも備えている。
前記一対の側壁部１０と、背壁部２０と、天壁部３０とは、プラスチックによる一体成形物とすることができる。
前記ペーパーＰの押さえ板４０は、別体に構成し、着脱自在に側壁部１０、１０若しくは背壁部２０に軸支して取り付けることができる。
【００１７】
前記一対の側壁部１０、１０の対向する内壁には、一対のロール掛け片１１、１１を軸支して設け、水平位置から上方に向けて回動できるようにしている。
ペーパーロールＲの取り付けは、該ペーパーロールＲを前記一対の側壁部１０、１０間の下方から上方に持ち上げるように操作することで、ペーパーロールＲの軸穴Ｒ１の両側を一対のロール掛け片１１、１１に引っ掛け、これによりペーパーロールＲを両側壁部１０、１０間に回転自在に取り付け、保持することができる。
前記背壁部２０は、トイレ等の壁の壁面に対して、ネジ或いは他の取り付け手段により取り付けられて固定される。即ち、トイレットペーパーホルダーは背壁部２０でトイレ等の壁面に取り付けられて固定され、使用に供される。
前記天壁部３０は、前記背壁部２０の上端から前方へ向けて屋根を構成するよう進出して構成されている。この天壁部３０の最前部３１には、該最前部３１に沿って切断刃５０が配置される。
【００１８】
前記押さえ板４０は、前記一対の側壁部１０、１０若しくは背壁部２０に回動可能に軸支した状態に構成することができる。そして少なくとも押さえ板４０の前半部が前記側壁部１０、１０間にセットされたペーパーロールＲの上面に当接するように構成される。
更に言えば、押さえ板４０は、その先端部４１の位置が、セットされた新品のペーパーロールＲ（通常、直径１２０ｍｍ）の水平方向における最前位置よりも少し手前の位置（角度で言えば、角度０度の手前で角度６０度付近までの間）に到達するような寸法に構成する。これによりペーパーロールＲのセット初期から使用によってペーパーロールＲの径が短くなるまでの間にわたって、押さえ板４０の先端部４１の位置をペーパーロールＲの水平方向における最前位置近くの好ましい位置にとどまらせることができ、ペーパーＰのスムーズな引き出しと、良好な押さえ機能とを発揮させることができる。
【００１９】
前記切断刃５０は、前記天壁部３０との一体成形品としてプラスチックで構成することができる。しかし切れ味のよい金属製のものを別体として用い、これを天壁部３０の最前部に固定するように構成することも可能である。切断刃５０は、ギザギザのある鋸刃状とするのが切れ味の点で好ましい。切断刃５０の幅はペーパーロールＲのペーパーＰの幅より多少を長くなるように構成する。
切断刃５０の位置は、水平方向において、ペーパーロールＲの上面に当接した状態にある押さえ板４０の先端部４１と同じか少し前方位置となるように構成している。これによって押さえ板４０先端部４１で上方へ折り返されるペーパーＰの折り返し角度を、直角方向かそれより少し小さい角度とすることができる。この直角に近い角度はペーパーＰのそれ以上の引き出しを防止するのに十分大きな角度である。また必要以上のペーパーの引き出しを効果的に防止することができる十分な角度である。一方、折り返し角度が直角を超えるほど大きくならないので、押さえ板４０の先端部４１から上方の切断刃５０に向かうペーパーＰの角度が大きくなり過ぎず、比較的スムーズな切断作業を確保することができる。直角を超えるような場合は、押さえ板４０の先端部４１から切断刃５０に向かうペーパーＰの向きが後向き（後退方向）となるので、切断刃による切断がし難くなる。
【００２０】
ペーパーロールＲのペーパーＰは、前記押さえ板４０によって上から押さえられながら前方に引き出される。使用者は必要分のペーパーＰを引き出した後、上方に配置された切断刃５０で切断して、使用に供する。
【００２１】
本考案では、ペーパーロールＲから引き出されたペーパーＰが前記天壁部３０に配置された切断刃５０によって切断されることで、残ったペーパーロールＲ側のペーパーＰの先端Ｐ１がペーパーロールＲから下方、床までの間に垂れるように構成している。
切り残ったペーパーＰの先端Ｐ１がペーパーロールＲから下方、床までの間に垂れるためには、押さえ板４０の先端部４１から前記切断刃５０までの距離Ｌ１（ペーパーＰの長さ）が、押さえ板４０の先端部４１からペーパーロールＲの水平方向の最前部Ｒ２までの円弧距離Ｌ２よりも長く、床までよりは短くなるように、ペーパーロールＲがセットされる位置と、押さえ板４０の寸法及び配置位置と、切断刃５０の位置等を相互に決定すればよい。そしてそのようにして決定された各部の寸法、配置位置となるように、トイレットペーパーホルダーの各部、即ち側壁部１０、ロール掛け片１１、背壁部２０、天壁部３０、押さえ板４０、切断刃５０を構成すればよい。
ところで、セットされるペーパーロールＲの位置は、通常、使い勝手を考慮して、床面から３０ｃｍ以上は高い位置になるようにされるので、天壁部３０の最前部に配置される切断刃５０がよほど高く離れた位置に配置されない限り、切り残ったペーパーＰの先端Ｐ１が床に着地するようなことはない。従って、実際には切り残ったペーパーＰの先端Ｐ１がペーパーロールＲの最前部Ｒ２から少し垂れ下がるような設計にすれば必要十分である。
【００２２】
より具体的には、前記押さえ板４０の先端部４１から切断刃５０までの距離Ｌ１は、該距離Ｌ１が、新品のペーパーロールＲをセットしたときに、ペーパーロールＲの１／４円周から１／２円周の範囲となるように構成している。
ここで新品のペーパーロールＲの直径は、通常の規格として１２０ｍｍである。
押さえ板４０の先端部４１の位置は、通常はペーパーロールＲの最前部Ｒ２近くに位置するように構成する。そして例え新しくペーパーロールＲがセットされた場合であっても、押さえ板４０の先端部４１の位置が、ペーパーロールＲの最前部Ｒ２から１／４円周以上後退することはない。勿論、使用によってペーパーロールＲの径が小さくなってくると、押さえ板４０の先端部４１の位置がペーパーロールＲの最前部Ｒ２方向に近づくことはあっても、更に後退することはない。
よって先端部４１からペーパーロールＲの最前部Ｒ２に達するまでの円弧距離Ｌ２は、実際にはそれ程長くならない。これらを考慮して、前記先端部４１から切断刃５０までの距離Ｌ１がペーパーロールＲの１／４円周以上あれば、ほぼペーパーロールＲからペーパーＰが垂れることになるが、余裕を考慮して、１／２円周の範囲までとした。このように構成することで、切断後に残ったペーパーＰの先端Ｐ１が、確実に垂れ下がるようにすることができる。
【００２３】
前記押さえ板４０は、ペーパーロールＲがセットされた状態において、押さえ方向と反対方向には後退し難くなるように構成することができる。後退し難くすることで、ペーパーＰを上向きに引き出して切断する際の押さえ効果がより働き、切断を容易、確実に行うことができる。
押さえ板４０を後退し難くする構成としては、押さえ板４０を適当に重くすることができる。例えば図面に示すように、押さえ板４０の厚みをその前半部或いは前部において厚くし、これによってペーパーＰの切断時においても十分効果的にペーパーＰを押さえることができるようにしている。
また爪と爪車等による逆止機構を押さえ板４０に付加してもよい。この場合において、ペーパーロールＲそのものをセットしたり取り外したりする際には前記逆止機構はリセットできるように構成しておく。
【００２４】
前記天壁部３０は水平に構成することで、その上面を荷置きスペースとしてもよい。
【産業上の利用可能性】
【００２５】
本考案のトイレットペーパーホルダーは、トイレ等の壁に取り付けることにより、トイレットペーパーホルダー等に手を何ら触れることなく、片手でペーパーを引き出して切断できる用具として、産業上の利用可能性がある。
【符号の説明】
【００２６】
１０        側壁部
１１        ロール掛け片
２０        背壁部
３０        天壁部
３１        最前部
４０        押さえ板
４１        先端部
５０        切断刃
Ｌ１        押さえ板から切断刃までの距離
Ｌ２        押さえ板からペーパーロールの最前部までの円弧距離
Ｐ          ペーパー
Ｐ１        ペーパーの先端
Ｒ          ペーパーロール
Ｒ１        ペーパーロールの軸穴
Ｒ２        ペーパーロールの最前部
【図１】
0003234263.tif 000003
【図２】
0003234263.tif 000004
【図３】
0003234263.tif 000005
【図４】
0003234263.tif 000006